(57)【要約】【課題】  本発明は、半円もしくは半楕円部と直線部からなる長円形コンデンサを、コンデンサ取付部品により基板表面に取付け固定するコンデンサ取付装置において、従来の固定バンド構成で、耐振動性を上げようとすると、肉厚の厚いものを使用しなければならずその分だけ高さ方向に無駄なスペースが発生してしまうという課題がある。  また、固定バンドが平板で、上部から押さえ込んで左右の取付けネジで固定すると、上下・左右方向の耐震動性より前後方向の耐振動性が弱いという課題がある。【解決手段】コンデンサ取付部品の形状がブロック状であって、コンデンサとの固定面をコンデンサの半円もしくは半楕円周部に設ける。  また、ブロック状の取付治具を前記半円周もしくは半だ円周部に設けるとともに、コンデンサの側面外周部に設けた凹部と、前記取付部品に設けた凸部とを嵌合する。【選択図】図１
2007234751.tif 000002
【特許請求の範囲】
【請求項１】
半円もしくは半楕円部と直線部からなる長円形コンデンサを、コンデンサ取付部品により基板表面に取付け固定するコンデンサ取付装置において、前記コンデンサ取付部品は、形状がブロック状であって、前記コンデンサとの固定面を前記コンデンサの半円もしくは半楕円周部に設けることを特徴とするコンデンサ取付装置。
【請求項２】
半円もしくは半だ円部と直線部からなる長円形のコンデンサを、基板表面に取付け固定するコンデンサ取付方法において、ブロック状の取付治具を前記半円周もしくは半だ円周部に設けるとともに、前記コンデンサの側面外周部に設けた凹部と、前記取付部品に設けた凸部とを嵌合することを特徴とするコンデンサ取付方法。
【発明の詳細な説明】
【技術分野】
【０００１】
本発明はコンデンサの取付装置およびその取付方法の中で、特に長円形のコンデンサに関するものである。
【背景技術】
【０００２】
コンデンサを横にして基板に固定する方法としては、たとえば実開昭５３−８５６０号公報に記載されているように、固定バンドを使用して基板に固定する方法が行われていた。
図３に、長円形コンデンサの場合の固定する方法を示す。１はコンデンサ本体、２はこのコンデンサ本体１に設けられた外部端子、７は固定バンドで、上記コンデンサ本体１を基板６に取付けるための取付部品であり、この取付部品は上記コンデンサ本体１の上周面の略大半を締め付けるように板状の金属板を加工したであり、その取付部品の外周部に設けられた複数の取付穴５を介して取付ネジ４を締め付けることによって基板６に取付るように構成されている。
【特許文献１】実開昭５３−８５６０号公報
【発明の開示】
【発明が解決しようとする課題】
【０００３】
従来の固定バンド構成で、耐振動性を上げようとすると、肉厚の厚いものを使用しなければならずその分だけ高さ方向に無駄なスペースが発生してしまうという課題がある。
また、固定バンドが平板で、上部から押さえ込んで左右の取付ネジで固定すると、上下・左右方向の耐震動性より前後方向の耐振動性が弱いという課題がある。
【課題を解決するための手段】
【０００４】
本発明は、半円もしくは半楕円部と直線部からなる長円形コンデンサを、コンデンサ取付部品により基板表面に取付け固定するコンデンサ取付装置において、前記コンデンサ取付部品は、形状がブロック状であって、前記コンデンサとの固定面を前記コンデンサの半円もしくは半楕円周部に設けることを特徴とするコンデンサ取付装置を提供するものである。
また、半円もしくは半楕円部と直線部からなる長円形のコンデンサを、基板表面に取付け固定するコンデンサ取付方法において、ブロック状の取付治具を前記半円周もしくは半だ円周部に設けるとともに、前記コンデンサの側面外周部に設けた凹部と、前記取付部品に設けた凸部とを嵌合することを特徴とするコンデンサ取付方法を提供するものである。
【発明の効果】
【０００５】
本発明は、取付部品でコンデンサを両端からはさむ構成なので、高さ方向の省スペース化を図ることができる。
また、取付部品がブロック状であるために、両端からコンデンサをはさむ構成であっても十分な保持強度を得ることができるし、また、コンデンサ側面からの放熱も取付部品を通してスムーズに行うことができる。
また、取付部品に上記長円形電解コンデンサのケース外周部の凹部と等しい形状の突起を付けることで、取付部品ではさむ方向とは直角方向の耐振動性の向上も図ることができる。
【発明を実施するための最良の形態】
【０００６】
以下、本発明の実施の形態を図面に基づいて説明する。
図１は、本発明におけるコンデンサ取付装置の構成を示した斜視図を示している。
１は、コンデンサ本体で、２は、外部端子を示している。コンデンサ本体１は、断面が半円もしくは半楕円部と直線部からなる長円形のコンデンサで、横に倒され、基板５に対して直線部の下面部分で接触している。
３は、取付部品で、金属もしくは樹脂材料で、ブロック状からなり、コンデンサ１の半円もしくは半だ円周部を両方向から挟み込んで、基板５と複数の取付ネジ４により基板５と固定する。
取付部品３は加工性の点で樹脂材料でもかまわないが、強度と放熱との点で金属が好ましい。また、コンデンサの半円もしくは半だ円周部の形状に合わせて加工すると取付安定性とコンデンサ１の側面からの放熱の点で好ましい。
また、取付ネジ４で締め付けたときにコンデンサ本体１が基板５に接触固定しやすいように、取付部品３の下部面部分を若干削っておくのが好ましい。
コンデンサはひとつのほか複数個直列または並列の並べて取付けする場合もある。コンデンサとコンデンサとの間の取付部品３は、コンデンサの半円もしくは半だ円周部の隣同士の形状に合わせて加工するのが好ましい。
【０００７】
図２は、本発明における別例の取付部品と長円形のコンデンサの斜視図を示している。長円形コンデンサ１の外周部に設けた凹部８と等しい形状の凸部９を取付部品３に設け、嵌合することにより長円形コンデンサの取付部品ではさむ方向と直角方向の耐振動性の向上も図るものである。
【０００８】
図３は、本発明における別例のコンデンサ取付装置の構成を示した断面図を示している。
図３（ａ）は、取付部品３を縦に斜めに分けて、取付ネジ４で取付部品３ａを締め付けることにより、取付部品３ｂが、コンデンサ本体１を左右から挟み込みを行うことを示しています。
図３（ｂ）は、取付部品３を横に斜めに分けて（３ｃ、３ｄ）、取付ネジ４で取付部品３ｃを締め付けることにより、取付部品３ｃが、コンデンサ本体１を左右から挟み込みを行うことを示しています。
図３（ｃ）は、取付部品３ｅを取付ネジ４で基板６に固定し、コンデンサ本体側に、取付部品３ｆを押し込みネジ９で締め付けることにより、取付部品３ｆが、コンデンサ本体１を左右から挟み込みを行うことを示しています。
上記取付部品３は、左右とも同じ構造で示したが、片方は図１のようなワンブロックでもかまわない。
【図面の簡単な説明】
【０００９】
【図１】本発明におけるコンデンサ取付装置の構成を示した斜視図を示す。
【図２】本発明における別例のコンデンサと取付部品の斜視図を示す。
【図３】本発明における別例のコンデンサ取付装置の構成を示した断面図を示す。
【図４】従来の取付部品付きコンデンサの構成を示した斜視図を示す。
【符号の説明】
【００１０】
１…コンデンサ本体、２ …外部端子、３ …取付部品、４ …取付ネジ、５ …取付穴、６…基板、７…固定バンド、８…凹部、９…凸部、１０…押し込みネジ。
【図１】
2007234751.tif 000003
【図２】
2007234751.tif 000004
【図３】
2007234751.tif 000005
【図４】
2007234751.tif 000006